(57)【要約】【課題】封止構造の封止性能のさらなる改善を図る。【解決手段】有機発光装置１００は、第１基板１０１と、第２基板１０２と、有機発光素子１０３と、封止構造１０４とを備える。封止構造１０４は、封止材を含む第１封止壁１１１、１１３と、乾燥剤を含む第２封止壁１１２、１１４とが外周側から内周側に向けて少なくとも２セット繰り返された多重構造を有する。第１基板１０１に垂直な方向に断面視した場合に、少なくとも１つの第２封止壁の断面積が、少なくとも１つの第２封止壁よりも外周側に位置し少なくとも１つの第２封止壁に最も近い第２封止壁の断面積よりも大きい。【選択図】図２
2016122506.tif 000002
【特許請求の範囲】
【請求項１】
第１基板と、
前記第１基板に間隔を空けて対向する第２基板と、
前記第１基板と前記第２基板との間に配された少なくとも１つの有機発光素子と、
前記第１基板と前記第２基板との間に配され、前記第１基板と前記第２基板との各々に密着し、前記第１基板を平面視した場合に前記少なくとも１つの有機発光素子を囲む封止構造と、を備え、
前記封止構造は、封止材を含む第１封止壁と、乾燥剤を含む第２封止壁とが外周側から内周側に向けて少なくとも２セット繰り返された多重構造を有し、
前記第１基板に垂直な方向に断面視した場合に、少なくとも１つの第２封止壁の断面積が、前記少なくとも１つの第２封止壁よりも外周側に位置し前記少なくとも１つの第２封止壁に最も近い第２封止壁の断面積よりも大きい、
有機発光装置。
【請求項２】
前記少なくとも１つの第２封止壁は、最も内周側に位置する第２封止壁である、請求項１に記載の有機発光装置。
【請求項３】
前記第１基板に垂直な方向に断面視した場合に、最も外周側に位置する第１封止壁の断面積が、前記最も外周側に位置する第１封止壁よりも内周側に位置し前記最も外周側に位置する第１封止壁に最も近い第１封止壁の断面積よりも大きい、請求項２に記載の有機発光装置。
【請求項４】
前記最も内周側に位置する第２封止壁を除く第２封止壁の各々の断面積は、前記最も外周側に位置する第１封止壁を除く第１封止壁の各々の断面積よりも大きい、請求項３に記載の有機発光装置。
【請求項５】
前記封止構造は、前記最も内周側に位置する第２封止壁を除く第２封止壁を２つ以上有し、且つ、前記最も外周側に位置する第１封止壁を除く第１封止壁を２つ以上有し、前記最も内周側に位置する第２封止壁を除く第２封止壁の各々の断面積が同一であり、前記最も外周側に位置する第１封止壁を除く第１封止壁の各々の断面積が同一である、請求項４に記載の有機発光装置。
【請求項６】
前記封止構造は、前記最も内周側に位置する第２封止壁を除く第２封止壁を２つ以上有し、前記最も内周側に位置する第２封止壁を除く第２封止壁の各々の断面積が異なり、外周側から内周側に向かうほど第２封止壁の断面積が大きい、請求項４に記載の有機発光装置。
【請求項７】
前記第１基板に垂直な方向に断面視した場合に、前記少なくとも１つの第２封止壁の前記第１基板に沿う方向の幅が、前記少なくとも１つの第２封止壁よりも外周側に位置し前記少なくとも１つの第２封止壁に最も近い第２封止壁の前記第１基板に沿う方向の幅よりも大きい、請求項１に記載の有機発光装置。
【請求項８】
前記少なくとも１つの第２封止壁の前記第１基板に垂直な方向の厚みが、前記少なくとも１つの第２封止壁よりも外周側に位置し前記少なくとも１つの第２封止壁に最も近い第２封止壁の前記第１基板に垂直な方向の厚みよりも大きい、請求項１に記載の有機発光装置。
【請求項９】
前記乾燥剤は、粒子状であり、前記第２封止壁は、さらに、前記粒子状の乾燥剤を結着する結着剤を含む、請求項１に記載の有機発光装置。
【請求項１０】
前記乾燥剤は、アルカリ金属の酸化物またはアルカリ土類金属の酸化物からなる、請求項９に記載の有機発光装置。
【発明の詳細な説明】
【技術分野】
【０００１】
本発明は、ディスプレイ装置や照明装置に利用される有機発光装置の封止技術に関する。
【背景技術】
【０００２】
近年、有機材料の電界発光を利用した有機発光素子の研究開発が盛んに進められている。さらには、有機発光素子をディスプレイ装置や照明装置などの有機発光装置に適用する技術も進められている。有機発光素子は、一般に、水分と反応して発光特性が劣化する材料を含むことがある。有機発光装置においては、有機発光素子の発光特性の経時的な劣化を抑制するために、水分の有機発光素子への浸透を抑制する封止構造が重要となる。
【０００３】
特許文献１は、矩形状の第１基板と、それに対向する矩形状の第２基板と、第１基板と第２基板との間に配された有機発光素子と、第１基板と第２基板との間に配され有機発光素子を囲む平面視矩形枠状の封止構造とを備えた有機発光装置を開示している。封止構造は、平面視で外周側に配された枠状の封止材と内周側に配された枠状の乾燥剤との２重構造を有する（明細書段落００２３、００３０、図１参照）。これにより、水分が外周側の封止材を通過したとしても、内周側の乾燥剤に吸着されることで、水分の内部浸入を効果的に防止できる（明細書段落０００７参照）。
【０００４】
特許文献２も特許文献１と同様に、外周側に配された封止材と内周側に配された乾燥剤の２重構造を有する封止構造を開示している（明細書段落００２７、図６Ｃ参照）。
特許文献３は、さらに、外周側に配された封止材、中央に配された乾燥剤、内周側に配された封止材の３重構造を有する封止構造を開示している（明細書段落０００９、図１、２参照）。
【先行技術文献】
【特許文献】
【０００５】
【特許文献１】特開２００７−７３４５９号公報
【特許文献２】特開２０１２−１３８３５８号公報
【特許文献３】特開２００２−１５８０８８号公報
【発明の概要】
【発明が解決しようとする課題】
【０００６】
しかしながら、従来の封止構造の封止性能は、未だ十分であるとは言えず、さらなる改善が求められる。
本発明の一態様は、封止構造の封止性能をさらに改善する技術を提供する。
【課題を解決するための手段】
【０００７】
本発明の一態様に係る有機発光装置は、第１基板と、第１基板に間隔を空けて対向する第２基板と、第１基板と第２基板との間に配された少なくとも１つの有機発光素子と、第１基板と第２基板との間に配され、第１基板と第２基板との各々に密着し、第１基板を平面視した場合に少なくとも１つの有機発光素子を囲む封止構造と、を備える。封止構造は、封止材を含む第１封止壁と、乾燥剤を含む第２封止壁とが外周側から内周側に向けて少なくとも２セット繰り返された多重構造を有する。第１基板に垂直な方向に断面視した場合に、少なくとも１つの第２封止壁の断面積が、少なくとも１つの第２封止壁よりも外周側に位置し少なくとも１つの第２封止壁に最も近い第２封止壁の断面積よりも大きい。
【発明の効果】
【０００８】
上記構成により、封止構造の封止性能をさらに改善することができる。
【図面の簡単な説明】
【０００９】
【図１】本発明の第１実施形態に係る有機発光装置のレイアウトを示す平面図
【図２】本発明の第１実施形態に係る有機発光装置を示す部分断面図
【図３】実験用に作製したサンプルの構造を示す部分断面図
【図４】第２封止壁内のヒドロキシ基の分布を示すグラフ
【図５】第２封止壁内の透明部分の幅の時間変化を示すグラフ
【図６】原理を説明するための図
【図７】図６の封止構造における各時点での水分の分布を示す概念図であり、（ａ）は、水分の浸透位置Ｐｉが第２封止壁１１２内に存在する時点、（ｂ）は、水分の浸透位置が第２封止壁１１２の内周側の界面に到達した時点、（ｃ）は水分の浸透位置が第２封止壁１１４内に存在する時点、（ｄ）は水分の浸透位置が第２封止壁１１４の内周側の界面に到達した時点を示す図
【図８】本発明の第２実施形態に係る有機発光装置を示す部分断面図
【図９】本発明の第３実施形態に係る有機発光装置を示す部分断面図
【図１０】本発明の第４実施形態に係る有機発光装置を示す部分断面図
【図１１】本発明の第５実施形態の係る有機発光装置を示す部分断面図
【図１２】本発明の第６実施形態の係る有機発光装置を示す部分断面図
【図１３】本発明の実施形態の変形例に係る有機発光装置を示す部分断面図
【発明を実施するための形態】
【００１０】
＜１＞  本発明の一態様の概要
本発明の一態様に係る有機発光装置は、第１基板と、第１基板に間隔を空けて対向する第２基板と、第１基板と第２基板との間に配された少なくとも１つの有機発光素子と、第１基板と第２基板との間に配され、第１基板と第２基板との各々に密着し、第１基板を平面視した場合に少なくとも１つの有機発光素子を囲む封止構造と、を備える。封止構造は、封止材を含む第１封止壁と、乾燥剤を含む第２封止壁とが外周側から内周側に向けて少なくとも２セット繰り返された多重構造を有する。第１基板に垂直な方向に断面視した場合に、少なくとも１つの第２封止壁の断面積が、少なくとも１つの第２封止壁よりも外周側に位置し少なくとも１つの第２封止壁に最も近い第２封止壁の断面積よりも大きい。
【００１１】
また、少なくとも１つの第２封止壁は、最も内周側に位置する第２封止壁であることとしてもよい。
また、第１基板に垂直な方向に断面視した場合に、最も外周側に位置する第１封止壁の断面積が、最も外周側に位置する第１封止壁よりも内周側に位置し最も外周側に位置する第１封止壁に最も近い第１封止壁の断面積よりも大きいこととしてもよい。
【００１２】
また、最も内周側に位置する第２封止壁を除く第２封止壁の各々の断面積は、最も外周側に位置する第１封止壁を除く第１封止壁の各々の断面積よりも大きいこととしてもよい。
また、封止構造は、最も内周側に位置する第２封止壁を除く第２封止壁を２つ以上有し、且つ、最も外周側に位置する第１封止壁を除く第１封止壁を２つ以上有し、最も内周側に位置する第２封止壁を除く第２封止壁の各々の断面積が同一であり、最も外周側に位置する第１封止壁を除く第１封止壁の各々の断面積が同一であることとしてもよい。
【００１３】
また、封止構造は、最も内周側に位置する第２封止壁を除く第２封止壁を２つ以上有し、最も内周側に位置する第２封止壁を除く第２封止壁の各々の断面積が異なり、外周側から内周側に向かうほど第２封止壁の断面積が大きいこととしてもよい。
また、第１基板に垂直な方向に断面視した場合に、少なくとも１つの第２封止壁の第１基板に沿う方向の幅が、少なくとも１つの第２封止壁よりも外周側に位置し少なくとも１つの第２封止壁に最も近い第２封止壁の第１基板に沿う方向の幅よりも大きいこととしてもよい。
【００１４】
また、少なくとも１つの第２封止壁の第１基板に垂直な方向の厚みが、少なくとも１つの第２封止壁よりも外周側に位置し少なくとも１つの第２封止壁に最も近い第２封止壁の第１基板に垂直な方向の厚みよりも大きいこととしてもよい。
また、乾燥剤は、粒子状であり、第２封止壁は、さらに、粒子状の乾燥剤を結着する結着剤を含むこととしてもよい。
【００１５】
また、乾燥剤は、アルカリ金属の酸化物またはアルカリ土類金属の酸化物からなることとしてもよい。
＜２＞  第１実施形態
＜２．１＞  構成
図１は、本発明の第１実施形態に係る有機発光装置のレイアウトを示す平面図である。図２は、図１のＡ−Ａ部分の断面図である。本実施形態では、有機発光装置１００は、ディスプレイ装置であるとして説明する。
【００１６】
図２に示すように、有機発光装置１００は、第１基板１０１、第２基板１０２、有機発光素子１０３および封止構造１０４を備える。
第１基板１０１は、ガラスまたは樹脂からなり、本実施形態では、図１に示すように平面視矩形状とする。第２基板１０２は、第１基板１０１と同様に、ガラスまたは樹脂からなり、平面視矩形状とする。第２基板１０２は、間隔を空けて第１基板１０１に対向している。樹脂としては、ポリエチレン、ポリプロピレン、ポリビニレン、ポリ塩化ビニリデン、ポリエチレンテレフタレート、ポリエチレンナフタレート、ポリカーボネート、ポリエチレンスルホン酸、シリコーン、アクリル樹脂、エポキシ樹脂、フェノール樹脂、ポリアミド、ポリイミド、アラミド樹脂などが挙げられる。
【００１７】
有機発光素子１０３は、第１基板１０１と第２基板１０２との間に配されている。本実施形態では、有機発光素子１０３は、複数存在し、図１に示すように第１基板１０１上に行列状に配列されている。行方向（第１基板の長手方向に沿う方向）に並んだ３つの有機発光素子１０３は、それぞれ青色光、緑色光および赤色光を出射する。即ち、各有機発光素子１０３がサブ画素（sub-pixel）を構成し、行方向に並んだ３つの有機発光素子１０３が画素（pixel）を構成する。
【００１８】
封止構造１０４は、第１基板１０１と第２基板１０２との間に配されている。封止構造１０４の下面１０４ａは、第１基板１０１に密着しており、封止構造１０４の上面１０４ｂは、第２基板１０２に密着している。また、封止構造１０４は、図１に示すように、複数の有機発光素子１０３を囲んでいる。本実施形態では、封止構造１０４は平面視矩形枠状である。これにより、第１基板１０１と第２基板１０２と封止構造１０４とで囲まれる空間１０５が密閉される。複数の有機発光素子１０３は空間１０５内に位置する。空間１０５には、透光性の封止材が充填されていてもよいし、希ガスや窒素ガスなどの不活性ガスが充填されていてもよい。
【００１９】
有機発光装置１００は、例えば、第１基板１０１上に有機発光素子１０３を形成し、さらに、第１基板１０１上に封止構造１０４の材料をディスペンス法により塗布し、その上に第２基板１０２を被せて真空圧着することで作製することができる。真空圧着の際に第１基板１０１と第２基板１０２との間に適切な間隔を確保するため、封止構造１０４の材料内にスペーサ粒子を混入しておいてもよい。
【００２０】
さらに、封止構造１０４の構成について詳細に説明する。
図１に示すように、封止構造１０４は、２種類の封止壁が外周側から内周側に向けて２セット繰り返された多重構造を有する。第１封止壁１１１は、最外周に存在し、第２封止壁１１２は、第１封止壁１１１の内周側に存在し、第１封止壁１１３は、第２封止壁１１２の内周側に存在し、第２封止壁１１４は、第１封止壁１１３の内周側に存在する。第１封止壁１１１、１１３は、何れも封止材を含む。封止材としては、例えば、アクリル系樹脂、スチレン系樹脂、ポリカーボネート系樹脂、エポキシ系樹脂またはシリコーン系樹脂を利用することができる。第２封止壁１１２、１１４は、何れも乾燥剤を含む。乾燥剤としては、水分と化学反応を起こす化学的乾燥剤や、水分を表面吸着する物理的乾燥剤を利用することができる。例えば、酸化アルミニウム、塩化カルシウム、酸化カルシウム、活性無水硫酸カルシウム、酸化マグネシウム、過塩素酸マグネシウム、無水硫酸マグネシウム、酸化リン、炭酸カリウム、水酸化カリウム、シリカゲル、水酸化ナトリウム、硫酸ナトリウム、硫酸、塩化亜鉛、ゼオライトなどを利用してもよい。乾燥剤が粒子状の場合、第２封止壁１１２、１１４は、さらに、粒子状の乾燥剤を結着する結着剤を含んでもよい。結着剤としては、例えば、アクリル系樹脂、スチレン系樹脂、ポリカーボネート系樹脂、エポキシ系樹脂またはシリコーン系樹脂を利用することができる。
【００２１】
第１封止壁１１１と第１封止壁１１３は、同一材料で形成されていてもよいし、異なる材料で形成されていてもよい。これらの材料が同一の場合は、異なる場合に比べて、封止構造を形成するための材料の種類を削減することができる。そのため、製造上の材料の管理が容易になる。本実施形態では、第１封止壁１１１と第１封止壁１１３は、同一材料で形成されているものとして説明する。同様に、第２封止壁１１２と第２封止壁１１４は、同一材料で形成されていてもよいし、異なる材料で形成されていてもよい。上述の通り、これらの材料が同一の場合は、異なる場合に比べて製造上の材料の管理が容易になる。本実施形態では、第２封止壁１１２と第２封止壁１１４は、同一の材料で形成されているものとして説明する。
【００２２】
第１封止壁１１１、第２封止壁１１２、第１封止壁１１３および第２封止壁１１４の各々は互いに密着していてもよいし、互いに離間していてもよい。本実施形態では、互いに密着しているものとして説明する。
図２に示すように、第１封止壁１１１の厚みをＴ１、幅をＷ１、断面積をＳ１とする。ここで、断面積は、第１基板１０１に垂直で、かつ、封止構造１０４の長手方向に垂直な断面の面積である。同様に、第２封止壁１１２の厚みをＴ２、幅をＷ２、断面積をＳ２とする。第１封止壁１１３の厚みをＴ３、幅をＷ３、断面積をＳ３とする。第２封止壁１１４の厚みをＴ４、幅をＷ４、断面積をＳ４とする。本実施形態では、厚みＴ１、Ｔ２、Ｔ３およびＴ４は同一である。また、第１封止壁どうしで比較すると、第１封止壁１１１の幅Ｗ１は、第１封止壁１１３の幅Ｗ３よりも大きい。即ち、第１封止壁１１１の断面積Ｓ１は、第１封止壁１１３の断面積Ｓ３よりも大きい。また、第２封止壁どうしで比較すると、第２封止壁１１４の幅Ｗ４は、第２封止壁１１２の幅Ｗ２よりも大きい。即ち、第２封止壁１１４の断面積Ｓ４は、第２封止壁１１２の断面積Ｓ２よりも大きい。また、第２封止壁１１２の幅Ｗ２は、第１封止壁１１３の幅Ｗ３よりも大きい。即ち、第２封止壁１１２の断面積Ｓ２は、第１封止壁１１３の断面積Ｓ３よりも大きい。
【００２３】
要するに、以下の関係がある。
Ｔ１＝Ｔ２＝Ｔ３＝Ｔ４
Ｗ１＞Ｗ３  （Ｓ１＞Ｓ３）
Ｗ４＞Ｗ２  （Ｓ４＞Ｓ２）
Ｗ２＞Ｗ３  （Ｓ２＞Ｓ３）
このような構成により、封止構造１０４の封止性能が向上する。以下に、封止構造１０４の封止性能が向上する原理を説明する。
【００２４】
＜２．２＞  原理説明
＜２．２．１＞  実験
発明者らは、本実施形態の封止構造１０４を得る前に、図３に示す封止構造２０４のサンプルを４種類作製し、各サンプルの封止性能を確かめる実験を実施した。サンプル２００は、第１基板２０１、第２基板２０２および封止構造２０４を備える。第１基板２０１および第２基板２０２は、何れも透明なガラスからなる。封止構造２０４は、外周側の第１封止壁２１１と内周側の第２封止壁２１２とを含む。第１封止壁２１１は、封止材としてのエポキシ系樹脂からなる。第２封止壁２１２は、乾燥剤としての酸化カルシウムの粒子と、結着剤としてのエポキシ系樹脂とからなる。酸化カルシウムの粒子の平均粒径は、１μｍから２μｍ程度である。酸化カルシウムの粒子は、エポキシ系樹脂に対して１０ｗｔ％から２０ｗｔ％含有されている。
【００２５】
各サンプルの第１封止壁２１１の幅Ｗ１は、それぞれ０．５ｍｍ、１．０ｍｍ、１．５ｍｍ、２．０ｍｍである。また、各サンプルの第２封止壁２１２の幅Ｗ２は、何れも３．３ｍｍである。
発明者らは、各サンプルを室内よりも高温高湿の雰囲気下（温度８５℃、湿度８５％）に置き、各サンプルの水分の浸透の様子を観察した。第２封止壁２１２内の酸化カルシウムは不透明な物質である。酸化カルシウムは水分と反応した場合（即ち、水分を化学吸着した場合）、水酸化カルシウムに変質する。水酸化カルシウムは透明な物質である。従って、水分が第１封止壁２１１を通過して第２封止壁２１２に到達した場合、第２封止壁２１２内の酸化カルシウムが水酸化カルシウムに変質し、第２封止壁２１２内の水酸化カルシウムに変質した部分が透明化する。その結果、図３に示すように、第２封止壁２１２内に透明部分２１２ａと不透明部分２１２ｂとが生じる。第２封止壁２１２内の透明部分２１２ａの幅Ｗｐは、時間の経過に伴い広がり、最終的には第２封止壁２１２の全てが透明部分２１２ａになる。この様子は、第２基板２０２を介して目視することができる。
【００２６】
また、水酸化カルシウムのヒドロキシ基（ＯＨ基）は、フーリエ変換赤外線分光法（ＦＴＩＲ）により検出可能である。第２封止壁２１２内のヒドロキシ基の分布を観察することで、第２封止壁２１２内の水分の浸透の度合いを把握することができる。発明者らは、図３に示す構造のサンプルを作製し、高温高湿の環境下（温度６０℃、湿度９０％）に置き、第２封止壁内のヒドロキシ基の分布を観察した。図４は、第２封止壁内のヒドロキシ基の分布を示すグラフである。図４の横軸は、第２封止壁２１２内のＦＴＩＲの測定位置を示す。測定位置０μｍが、第１封止壁２１１と第２封止壁２１２の界面に相当する。ＦＴＩＲのスペクトルには、ヒドロキシ基が存在する場合、特定の波長域にピークが現れる。図４の縦軸は、ＦＴＩＲのスペクトル中のヒドロキシ基に由来するピークの面積を示す。ピークの面積が大きいほどヒドロキシ基の量が多い。図４は、初期、２日後、７日後、１４日後、２２日後、２８日後、３５日後、４２日後、４７日後、７２日後、８６日後の測定結果を示している。例えば、初期の測定結果では、第２封止壁２１２内の何れの測定位置でもヒドロキシ基のピークの面積は一定である。このレベルを０％とする。一方、８６日後の測定結果では、第２封止壁２１２内の０μｍ〜１００μｍの範囲ではヒドロキシ基のピークの面積が略飽和している。このレベルを１００％とする。また、８６日後の測定結果では、１００μｍ〜３５０μｍの範囲でヒドロキシ基のピークの面積が漸減しており、約２２０μｍの位置でヒドロキシ基のピークの面積が５０％となる。本明細書では、ヒドロキシ基のピークの面積が５０％の位置を、水分の浸透位置とする。図４によると、時間の経過に伴い、水分の浸透位置が第２封止壁２１２の内周面側に移動していく様子が伺える。
【００２７】
図５は、第２封止壁２１２内の透明部分の幅Ｗｐの時間変化を示すグラフである。
透明部分２１２ａの幅Ｗｐは、第２封止壁２１２内に水分が浸透した距離に相当する。そのため、グラフ内の各直線の傾きは、第２封止壁２１２内を水分が浸透する速度（水分浸透速度）に相当する。各直線の傾き、即ち、第２封止壁２１２内の水分浸透速度は、何れもほぼ同じであり、２．０〜３．６μｍ／ｄａｙである。
【００２８】
また、各直線のグラフ横軸との交点は、第２封止壁２１２の透明化の開始時期を示す。第２封止壁２１２の透明化の開始時期は、水分が第１封止壁２１１を通過するのに要する時間を反映していると考えられる。従って、第２封止壁２１２の透明化の開始時期に基づいて、第１封止壁２１１内の水分浸透速度を見積もることができる。ただし、第１封止壁２１１の幅Ｗ１が０．５ｍｍと１．０ｍｍのサンプルでは、略同時に第２封止壁２１２の透明化が開始している。この理由は、第１封止壁２１１の幅Ｗ１が狭いことにより、第１封止壁２１１と第１基板２０１（あるいは第２基板２０２）との密着性が不十分なためではないかと推察される。第１封止壁２１１と第１基板２０１（あるいは第２基板２０２）との密着性が不十分であれば、水分が第１封止壁２１１のバルクを浸透するのではなく、第１封止壁２１１と第１基板２０１（あるいは第２基板２０２）との界面を浸透する。従って、第１封止壁２１１内の水分浸透速度を見積もるに当たり、第１封止壁２１１の幅Ｗ１が０．５ｍｍと１．０ｍｍのサンプルの透明化の開始時期を考慮するのは妥当ではない。そこで、発明者らは、第１封止壁２１１の幅Ｗ１の変化に伴う第２封止壁２１２の透明化の開始時期の変化に着目した。例えば、第１封止壁２１１の幅Ｗ１が１．０ｍｍから１．５ｍｍに０．５ｍｍ増加すると、第２封止壁２１２の透明化の開始時期は約１４日遅れる。また、第１封止壁２１１の幅Ｗ１が１．０ｍｍから２．０ｍｍに１．０ｍｍ増加すると、第２封止壁２１２の透明化の開始時期は約２８日遅れる。これらは、水分が第１封止壁２１１内を０．５ｍｍ（５００μｍ）通過するのに約１４日要することを意味する。これらから、第１封止壁２１１内の水分浸透速度は、約３６μｍ／ｄａｙであると見積もることができる。
【００２９】
以上より、第２封止壁２１２内を水分が浸透する速度は、第１封止壁２１１内を水分が浸透する速度よりも１桁小さいことが分かる。また、上述の通り、第１封止壁２１１の厚みＷ１が１．０ｍｍから１．５ｍｍに０．５ｍｍ増加した場合と、１．０ｍｍから２．０ｍｍに１．０ｍｍ増加した場合とで、水分浸透速度は同じである。これから、第１封止壁２１１内の水分浸透速度は、第１封止壁２１１の幅Ｗ１に依存しないことが分かる。
【００３０】
＜２．２．２＞  検討
発明者らは、上述の実験で得られた知見に基づき、図６に示す封止構造１０４の水分浸透速度を検討した。図中、Ｐ０〜Ｐ４は水蒸気圧を示し、Ｖ１〜Ｖ４は水分浸透速度を示し、ｋは第１封止壁内の水分透過係数を示し、ｉは第２封止壁内の水分透過係数を示す。
第１封止壁１１１の水分浸透速度Ｖ１は、第１封止壁１１１の外周側界面と内周側界面の水蒸気圧差（Ｐ０−Ｐ１）と水分透過係数ｋに依存すると考えられる。また、上述の実験の結果により、水分浸透速度Ｖ１は、第１封止壁１１１の幅Ｗ１には依存しない。以上より、水分浸透速度Ｖ１は、次のように表されると考えられる。
【００３１】
Ｖ１＝ｋ（Ｐ０−Ｐ１）  ・・・（１）
ここで、Ｐ０は外部の水蒸気圧であるのに対し、Ｐ１は第１封止壁１１１と第２封止壁１１２との界面での水蒸気圧である。Ｐ１は、Ｐ０に比べて無視できる程度に小さいと考えられる。そのため、水分浸透速度Ｖ１は、次のように近似される。
Ｖ１＝ｋＰ０  ・・・（２）
第２封止壁１１２の水分浸透速度Ｖ２は、第１封止壁１１１を通じて供給される水分の量に依存すると考えられる。また、水分の供給量は、第１封止壁１１１の水分浸透速度Ｖ１に依存すると考えられる。以上より、水分浸透速度Ｖ２は、水分透過係数ｉを用いて、次のように表される。
【００３２】
Ｖ２＝ｉＶ１  ・・・（３）
上述の実験の結果により、Ｖ２は、Ｖ１に比べて１桁小さいことが判明している。従って、以下の関係が成り立つ。
Ｖ１＞＞Ｖ２  ・・・（４）
第１封止壁１１３の水分浸透速度Ｖ３は、第１封止壁１１１の水分浸透速度Ｖ１と同様の考え方で、以下のように表される。
【００３３】
Ｖ３＝ｋ（Ｐ２−Ｐ３）  ・・・（５）
Ｐ２は、第２封止壁１１２と第１封止壁１１３との界面に水分が到達している場合、Ｐ１と略同じとなる。従って、Ｐ２は、Ｐ１と同様に、Ｐ０に比べて無視できる程度に小さい。また、Ｐ３は、ゼロに等しい。従って、第１封止壁１１１と第１封止壁１１３とで材質が同じあったとしても、第１封止壁１１３の水分浸透速度Ｖ３は、第１封止壁１１１の水分浸透速度Ｖ１に比べて極めて小さくなる。従って、以下の関係が成り立つ。
【００３４】
Ｖ１＞＞Ｖ３  ・・・（６）
また、第２封止壁１１４の水分浸透速度Ｖ４は、第２封止壁１１２の水分浸透速度Ｖ２と同様の考え方で、以下のように表される。
Ｖ４＝ｉＶ３  ・・・（７）
式（３）、式（６）、式（７）から、以下の関係が成り立つ。
【００３５】
Ｖ２＞＞Ｖ４  ・・・（８）
このように、第２封止壁１１２と第２封止壁１１４とで材質が同じであったとしても、第２封止壁１１４の水分浸透速度Ｖ４は、第２封止壁１１２の水分浸透速度Ｖ２に比べて極めて小さくなる。
このことから、第２封止壁１１４の幅Ｗ４（ひいては断面積）を第２封止壁１１２の幅Ｗ２（断面積）よりも大きくすることで、封止構造１０４の全体を水分が浸透する時間（水分貫通時間）を長くすることができる。
【００３６】
以上より、封止構造１０４の封止性能を向上させるには、第１封止壁の外周側と内周側に第２封止壁を配し、且つ、内周側の第２封止壁の断面積を外周側の第２封止壁の断面積より大きくすることが望ましい。
例えば、図６の封止構造１０４では、第１封止壁１１３の外周側に第２封止壁１１２が配され、第１封止壁１１３の内周側に第２封止壁１１４が配される。これにより、第１封止壁１１３の外周側の界面と内周側の界面との水蒸気圧差（Ｐ２−Ｐ３）を小さくすることができ、その結果、第１封止壁１１３の水分浸透速度Ｖ３を小さくすることができる。これにより、内周側の第２封止壁１１４に供給される水分の量を少なくすることができ、その結果、内周側の第２封止壁１１４の水分浸透速度Ｖ４を外周側の第２封止壁１１２の水分浸透速度Ｖ２よりも小さくすることができる。そして、第２封止壁１１４の幅Ｗ４（ひいては断面積）が、第２封止壁１１２の幅Ｗ２（ひいては断面積）よりも大きい。これにより、封止構造１０４の全体の水分貫通時間を長くすることができ、封止構造１０４の封止性能を向上させることができる。
【００３７】
図７は、図６の封止構造における各時点での水分（ヒドロキシ基）の分布を示す概念図である。図７（ａ）は、水分の浸透位置Ｐｉが第２封止壁１１２内に存在する時点、（ｂ）は水分の浸透位置が第２封止壁１１２の内周側の界面に到達した時点、（ｃ）は水分の浸透位置が第２封止壁１１４内に存在する時点、（ｄ）は水分の浸透位置が第２封止壁１１４の内周側の界面に到達した時点を示す。図７（ａ）の時点では、第１封止壁１１１から第２封止壁１１２に水分が供給されて、第２封止壁１１２内の水分の浸透位置Ｐｉは水分浸透速度Ｖ２で進行する。図７（ｃ）の時点では、第１封止壁１１３から第２封止壁１１４に水分が供給されて、第２封止壁１１４内の水分の浸透位置Ｐｉは水分浸透速度Ｖ４で進行する。ここで、水分浸透速度Ｖ４は、水分浸透速度Ｖ２よりも小さい。
【００３８】
＜２．３＞  まとめ
本実施形態の封止構造１０４では、第１封止壁１１３の外周側に第２封止壁１１２が配され、第１封止壁１１３の内周側に第２封止壁１１４が配される。第２封止壁１１４の幅Ｗ４（ひいては断面積Ｓ４）は、第２封止壁１１２の幅Ｗ２（ひいては断面積Ｓ２）よりも大きい。従って、上記の原理により、封止構造１０４の封止性能を向上させることができる。
【００３９】
また、上記の原理により、第２封止壁が複数存在する場合、最も内周側の第２封止壁の水分浸透速度が最も小さくなる。従って、最も内周側の第２封止壁の幅（ひいては断面積）をそれの一つだけ外周側の第２封止壁の幅（ひいては断面積）よりも大きくすることで、封止構造１０４の全体の水分貫通時間を長くすることができる。本実施形態の封止構造１０４では、最も内周側の第２封止壁１１４の幅Ｗ４は、それの一つだけ外周側の第２封止壁１１２の幅Ｗ２よりも大きい。これにより、封止構造１０４の全体の水分貫通時間を長くすることができる。
【００４０】
また、上記の実験により、最外周の第１封止壁の幅が狭すぎると、水分が第１封止壁と第１基板（あるいは第２基板）との界面を浸透する事態が生じる。これを抑制するために、最外周の第１封止壁は、第１基板および第２基板と密着性を確保できる程度の幅を持たせることが望ましい。その一方で、封止構造の全体の幅が広くなると、有機発光装置の全体に占める非発光領域の割合が増加するので好ましくない。従って、最も外周側の第１封止壁の幅がそれの一つだけ内周側の第１封止壁の幅よりも大きいことが望ましい。本実施形態の封止構造１０４では、最も外周側の第１封止壁１１１の幅Ｗ１は、それの一つだけ内周側の第１封止壁１１３の幅Ｗ３よりも大きい。これにより、封止構造１０４の封止性能を向上させつつ、封止構造１０４の全体の幅の増大を抑制することができる。
【００４１】
次に、封止構造における最外周の第１封止壁と最内周の第２封止壁との間の中間部分について検討する。上述の通り、第２封止壁の水分浸透速度は、第１封止壁の水分浸透速度よりも小さい。そのため、封止構造の中間部分の水分貫通時間を長くするには、中間部分に存在する第２封止壁の幅（ひいては断面積）を中間部分に存在する第１封止壁の幅（ひいては断面積）よりも大きくすることが望ましい。本実施形態の封止構造１０４では、第２封止壁１１２の幅Ｗ２は、第１封止壁１１３の幅Ｗ３よりも大きい。これにより、封止構造１０４の中間部分の水分貫通時間を長くすることができる。
【００４２】
＜３＞  第２実施形態
第２実施形態は、２種類の封止壁の繰り返し数量が第１実施形態と異なる。それ以外の構成は、第１実施形態と同様である。図８は、本発明の第２実施形態に係る有機発光装置を示す部分断面図である。有機発光装置３００は、第１基板３０１、第２基板３０２、有機発光素子（不図示）、および封止構造３０４を備える。
【００４３】
封止構造３０４は、２種類の封止壁が外周側から内周側に向けて５セット繰り返された多重構造を有する。即ち、外周側から内周側に向けて、第１封止壁３１１、第２封止壁３１２、第１封止壁３１３、第２封止壁３１４、第１封止壁３１５、第２封止壁３１６、第１封止壁３１７、第２封止壁３１８、第１封止壁３１９および第２封止壁３２０が配されている。
【００４４】
各第１封止壁３１１、３１３、３１５、３１７、３１９は、それぞれ、厚みＴ１、Ｔ３、Ｔ５、Ｔ７、Ｔ９を有し、幅Ｗ１、Ｗ３、Ｗ５、Ｗ７、Ｗ９を有する。各第２封止壁３１２、３１４、３１６、３１８、３２０は、それぞれ、厚みＴ２、Ｔ４、Ｔ６、Ｔ８、Ｔ１０を有し、幅Ｗ２、Ｗ４、Ｗ６、Ｗ８、Ｗ１０を有する。
本実施形態では、第１および第２封止壁の厚みおよび幅は、以下の関係がある。
【００４５】
Ｔ１＝Ｔ２＝Ｔ３＝Ｔ４＝Ｔ５＝Ｔ６＝Ｔ７＝Ｔ８＝Ｔ９＝Ｔ１０
Ｗ１＞Ｗ３、Ｗ５、Ｗ７、Ｗ９
Ｗ３＝Ｗ５＝Ｗ７＝Ｗ９
Ｗ１０＞Ｗ２、Ｗ４、Ｗ６、Ｗ８
Ｗ２＝Ｗ４＝Ｗ６＝Ｗ８
Ｗ２＞Ｗ３
本実施形態の封止構造３０４では、２種類の封止壁の繰り返し数量が第１実施形態の封止構造１０４よりも多い。従って、封止構造３０４の封止性能をさらに向上させることができる。
【００４６】
本実施形態の封止構造３０４では、第１封止壁３１３、３１５、３１７、３１９の各々の幅が同一である。また、第２封止壁３１２、３１４、３１６、３１８の各々の幅が同一である。ディスペンス法により第１および第２封止壁を作製する場合、第１および第２封止壁の幅に応じて材料の塗布量を調整する必要がある。上記構成によれば、第１および第２封止壁の幅が一定なので、材料の塗布量を調整する必要がなく、簡易に製造することができる。
【００４７】
＜４＞  第３実施形態
第３実施形態は、最外周の第１封止壁と最内周の第２封止壁の間の中間部分の構成が第２実施形態と異なる。それ以外の構成は、第２実施形態と同様である。図９は、本発明の第３実施形態に係る有機発光装置を示す部分断面図である。有機発光装置４００は、第１基板４０１、第２基板４０２、有機発光素子（不図示）、および封止構造４０４を備える。
【００４８】
封止構造４０４は、第１封止壁４１１、第２封止壁４１２、第１封止壁４１３、第２封止壁４１４、第１封止壁４１５、第２封止壁４１６、第１封止壁４１７、第２封止壁４１８、第１封止壁４１９および第２封止壁４２０を含む。
本実施形態では、第１および第２封止壁の厚みおよび幅は、以下の関係がある。
Ｔ１＝Ｔ２＝Ｔ３＝Ｔ４＝Ｔ５＝Ｔ６＝Ｔ７＝Ｔ８＝Ｔ９＝Ｔ１０
Ｗ１＞Ｗ３、Ｗ５、Ｗ７、Ｗ９
Ｗ３＝Ｗ５＝Ｗ７＝Ｗ９
Ｗ１０＞Ｗ８＞Ｗ６＞Ｗ４＞Ｗ２
Ｗ２＞Ｗ３
第１実施形態で説明された原理によると、第２封止壁が複数存在する場合、外周側から内周側に向かうほど第２封止壁内の水分浸透速度が小さくなる。従って、封止構造の全体の水分貫通時間を長くするには、外周側から内周側に向かうほど第２封止壁の幅（ひいていは断面積）を大きくすることが望ましい。
【００４９】
本実施形態の封止構造４０４では、第２封止壁４１２、４１４、４１６、４１８、４２０の各々の幅が異なる。具体的には、外周側から内周側に向かうほど、幅（ひいては断面積）が大きくなる。従って、封止構造４０４の全体の水分貫通時間を長くすることができる。
＜５＞  第４実施形態
第４実施形態は、最外周の第１封止壁を除く第１封止壁の寸法関係が第３実施形態と異なる。それ以外の構成は、第３実施形態と同様である。図１０は、本発明の第４実施形態に係る有機発光装置を示す部分断面図である。有機発光装置５００は、第１基板５０１、第２基板５０２、有機発光素子（不図示）、および封止構造５０４を備える。
【００５０】
封止構造５０４は、第１封止壁５１１、第２封止壁５１２、第１封止壁５１３、第２封止壁５１４、第１封止壁５１５、第２封止壁５１６、第１封止壁５１７、第２封止壁５１８、第１封止壁５１９および第２封止壁５２０を含む。
本実施形態では、第１および第２封止壁の厚みおよび幅は、以下の関係がある。
Ｔ１＝Ｔ２＝Ｔ３＝Ｔ４＝Ｔ５＝Ｔ６＝Ｔ７＝Ｔ８＝Ｔ９＝Ｔ１０
Ｗ１＞Ｗ３＞Ｗ５＞Ｗ７＞Ｗ９
Ｗ１０＞Ｗ８＞Ｗ６＞Ｗ４＞Ｗ２
Ｗ２＞Ｗ３
これにより、封止構造５０４の全体の幅を小さくすることができる。
【００５１】
＜６＞  第５実施形態
第５実施形態は、第１および第２封止壁の断面積の調整手法が第１実施形態と異なる。それ以外の構成は、第１実施形態と同様である。図１１は、本発明の第５実施形態の係る有機発光装置を示す部分断面図である。有機発光装置６００は、第１基板６０１、第２基板６０２、有機発光素子（不図示）、および封止構造６０４を備える。
【００５２】
封止構造６０４は、第１封止壁６１１、第２封止壁６１２、第１封止壁６１３および第２封止壁６１４を含む。
本実施形態では、第１および第２封止壁の厚みおよび幅は、以下の関係がある。
Ｔ４＞Ｔ３＞Ｔ２＞Ｔ１
Ｗ１＝Ｗ２＝Ｗ３＝Ｗ４  （Ｓ４＞Ｓ３＞Ｓ２＞Ｓ１）
このような構造は、例えば、以下の方法により実現可能である。第１基板６０１上に第１封止壁６１１、第２封止壁６１２、第１封止壁６１３および第２封止壁６１４の材料をそれぞれディスペンス法により塗布する。なお、第１封止壁６１１、第２封止壁６１２、第１封止壁６１３および第２封止壁６１４の各材料に、それぞれ直径Ｔ１、Ｔ２、Ｔ３、Ｔ４のスペーサ粒子を混入しておく。次に、第１基板６０１の上に第２基板６０２を被せて真空圧着する。このとき、第１基板６０１と第２基板６０２が撓み、第１基板６０１と第２基板６０２の間隔がスペーサ粒子の直径に応じて調整される。これにより、第１封止壁６１１、第２封止壁６１２、第１封止壁６１３および第２封止壁６１４のそれぞれの厚みを異ならせることができる。スペーサ粒子の材料としては、例えば、ポリエチレンテレフタレート等のポリエステル樹脂、ポリフェニレンエーテル樹脂、脂環式炭化水素樹脂、熱可塑性ポリイミド樹脂、ポリアミドイミド樹脂、ポリエステルイミド樹脂、ポリオレフィン樹脂、ポリスチレン樹脂、ポリアミド樹脂、ポリビニルアセタール樹脂、ポリビニルアルコール樹脂、ポリ酢酸ビニル樹脂、ポリ塩化ビニル樹脂、ポリメタクリル酸メチル等のポリ（メタ）アクリル酸エステル樹脂、ポリエーテルイミド樹脂、熱可塑性ポリベンゾイミダゾール樹脂等を利用してもよい。また、例えば、エポキシ樹脂、硬化型変性ポリフェニレンエーテル樹脂、硬化型ポリイミド樹脂、ケイ素樹脂、ベンゾオキサジン樹脂、メラニン樹脂、ユリア樹脂、アリル樹脂、フェノール樹脂、不飽和ポリエステル樹脂、ビスマレイミドトリアジン樹脂、アルキド樹脂、フラン樹脂、ポリウレタン樹脂、アニリン樹脂等の硬化性樹脂等を利用してもよい。
【００５３】
本実施形態の封止構造６０４では、第１封止壁６１３の外周側に第２封止壁６１２が配され、第１封止壁６１３の内周側に第２封止壁６１４が配される。第２封止壁６１４の厚みＴ４（ひいては断面積Ｓ４）は、第２封止壁６１２の厚みＴ２（ひいては断面積Ｓ２）よりも大きい。従って、第１実施形態と同様の原理により、封止構造６０４の封止性能を向上させることができる。
【００５４】
＜７＞  第６実施形態
第６実施形態は、第１実施形態に第５実施形態を適用したものである。それ以外の構成は、第１実施形態と同様である。図１２は、本発明の第６実施形態の係る有機発光装置を示す部分断面図である。有機発光装置７００は、第１基板７０１、第２基板７０２、有機発光素子（不図示）、および封止構造７０４を備える。
【００５５】
封止構造７０４は、第１封止壁７１１、第２封止壁７１２、第１封止壁７１３および第２封止壁７１４を含む。
本実施形態では、第１および第２封止壁の厚みおよび幅は、以下の関係がある。
Ｔ４＞Ｔ３＞Ｔ２＞Ｔ１
Ｗ１＞Ｗ３
Ｗ４＞Ｗ２  （Ｓ４＞Ｓ２）
Ｗ２＞Ｗ３
第１封止壁７１３の外周側に第２封止壁７１２が配され、第１封止壁７１３の内周側に第２封止壁７１４が配される。第１実施形態で説明した原理によると、この構成により、第２封止壁７１４の水分浸透速度Ｖ４が、第２封止壁７１２の水分浸透速度Ｖ２よりも小さくなる。そして、本実施形態では、第２封止壁７１４の幅Ｗ４が第２封止壁７１２の幅Ｗ２よりも大きく、且つ、第２封止壁７１４の厚みＴ４が、第２封止壁７１２の厚みＴ２よりも大きい。これにより、第２封止壁７１４の水分浸透速度Ｖ４が第２封止壁７１２の水分浸透速度Ｖ２よりも小さくなる。従って、封止構造７０４の封止性能を向上させることができる。
【００５６】
＜８＞  変形例
上記実施形態では、第２封止壁の幅がそれよりも一つ外周側の第２封止壁の幅よりも大きいという関係を満たす第２封止壁が最も内周側の第２封止壁であるが、これに限らない。最も内周側の第２封止壁を除く特定の第２封止壁が、上記関係を満たすこととしてもよい。例えば、図１３は、本発明の実施形態の変形例に係る有機発光装置を示す部分断面図である。有機発光装置８００は、第１基板８０１、第２基板８０２、有機発光素子（不図示）、および封止構造８０４を備える。封止構造８０４は、第１封止壁８１１、第２封止壁８１２、第１封止壁８１３、第２封止壁８１４、第１封止壁８１５および第２封止壁８１６を含む。この封止構造８０４は、第１実施形態の封止構造１０４の内周側にさらに第１封止壁８１５と第２封止壁８１６を追加したものに相当する。第１封止壁８１３の外周側に第２封止壁８１２が配され、第１封止壁８１３の内周側に第２封止壁８１４が配される。第２封止壁８１４の幅Ｗ４は、第２封止壁８１２の幅Ｗ２よりも大きい。従って、封止構造８０４の封止性能を向上させることができる。
【００５７】
また、上記実施形態では、２種類の封止壁の繰り返し数量が２セットまたは５セットであるが、これらはあくまで例示である。２セット以上であれば、上記実施形態と同様の効果を奏することができる。
また、上記実施形態では、第１基板および第２基板の形状を矩形状とし、封止構造の形状を矩形枠状としているが、これに限られない。第１基板および第２基板の形状としては、例えば、多角形、円形、楕円形、長円形、直線と曲線を組み合わせた任意の形状が挙げられる。封止構造の形状も同様である。
【００５８】
また、上記実施形態では、有機発光素子が複数存在するディスプレイ装置として説明したが、これに限らない。有機発光素子が単数の照明装置にも適用可能である。また、有機発光素子に限らず、水分による特性劣化が生じる電子デバイスであれば、どのようなものでも適用可能である。
【産業上の利用可能性】
【００５９】
本発明は、例えば、ディスプレイ装置や照明装置に利用可能である。
【符号の説明】
【００６０】
１００、３００、４００、５００、６００、７００、８００    有機発光装置
１０１、３０１、４０１、５０１、６０１、７０１、８０１    第１基板
１０２、３０２、４０２、５０２、６０２、７０２、８０２    第２基板
１０３    有機発光素子
１０４、３０４、４０４、５０４、６０４、７０４、８０４    封止構造
１０５    空間
１１１、１１３    第１封止壁
１１２、１１４    第２封止壁
３１１、３１３、３１５、３１７、３１９    第１封止壁
３１２、３１４、３１６、３１８、３２０    第２封止壁
４１１、４１３、４１５、４１７、４１９    第１封止壁
４１２、４１４、４１６、４１８、４２０    第２封止壁
５１１、５１３、５１５、５１７、５１９    第１封止壁
５１２、５１４、５１６、５１８、５２０    第２封止壁
６１１、６１３    第１封止壁
６１２、６１４    第２封止壁
７１１、７１３    第１封止壁
７１２、７１４    第２封止壁
８１１、８１３、８１５    第１封止壁
８１２、８１４、８１６    第２封止壁
【図１】
2016122506.tif 000003
【図２】
2016122506.tif 000004
【図３】
2016122506.tif 000005
【図４】
2016122506.tif 000006
【図５】
2016122506.tif 000007
【図６】
2016122506.tif 000008
【図７】
2016122506.tif 000009
【図８】
2016122506.tif 000010
【図９】
2016122506.tif 000011
【図１０】
2016122506.tif 000012
【図１１】
2016122506.tif 000013
【図１２】
2016122506.tif 000014
【図１３】
2016122506.tif 000015